(57)【要約】      （修正有）【課題】柔軟性がない液体容器の底に空気孔を開けることなく、容器を倒立させることなく、長い時間にわたり自動的に容器から少量の液体を連続的に外部に取り出すことができる液体滴下装置を提供する。【解決手段】柔軟性がない液体容器の口を封止する栓に、栓を貫いて上方へ伸びだし液体容器の底の近傍にまで達する長さの空気導入管を取り付け、さらに栓を貫いて下方へ伸び出し滴下用ノズルに連なる液体供給管を取り付ける。【選択図】図１
0003158999.tif 000002
【実用新案登録請求の範囲】
【請求項１】
柔軟性がない液体容器の口を封止する栓に、該栓を貫いて上方へ伸びだし液体容器の底の近傍にまで達する長さの空気導入管を取り付け、さらに前記栓を貫いて下方へ伸び出して滴下用ノズルに連なる液体供給管を取り付けたことを特徴とする液体滴下装置。
【請求項２】
空気導入管の上端に補強管または浮き子を取り付け、空気導入管の上端の開口部が倒立させた液体容器内部の液面から上方に常に露出しているように構成したことを特徴とする請求項１に記載の液体滴下装置。
【請求項３】
液体供給管を介して滴下用ノズルに連なるサブタンクの上端をサブタンクキャップで密閉し、該サブタンクキャップの上部に、該上部を貫いて上方へ伸びだし直立して置かれた柔軟性がない液体容器の底の近傍にまで達する長さの気液流通管を取り付け、さらに前記上部を貫き上方へ伸び出る空気圧入管を取り付け、該空気圧入管の先端部に空気圧縮具を連接したことを特徴とする液体滴下装置。
【請求項４】
空気圧縮具の陰圧発生部をスポイトまたは伸縮自在な蛇腹体で構成したことを特徴とする請求項３に記載の液体滴下装置。
【考案の詳細な説明】
【技術分野】
【０００１】  本考案は、長い時間にわたり自動的に、柔軟性がない（内外の圧力差によって容器壁が変形する程度の柔軟性がない。以下同じ。）液体容器から少量の液体を連続的に外部に取り出すことができるようにした液体滴下装置に関する。
【背景技術】
【０００２】  使用済みの柔軟性がないペットボトル等を用いて鉢植えの植物に水やりなどを行うものとしては、特許文献１に示す技術が従来から知られている。このものを使用するには、前記特許文献の明細書の［００２０］欄に記載されているように、まずペットボトル等の底に押しピン等で空気孔を開け、その空気孔を指で塞ぎ水等を入れてから、それを倒立させて所望の所に設置する、という作業が必要とされていた。【０００３】  しかし、底に空気孔を開けるには押しピンが要るし、孔が開けられたとしても、孔の位置が年配者などには分かりにくくなり、またその孔を指で塞ぎ水等を入れてから、それを倒立させて所望の所に設置するという作業にも、少なからぬ労力ないし負担がかかっていた。これらが前記の技術における問題点であった。【０００４】  押しピン（またはエアー針）を用いずに、柔軟性がある液体容器を用いて容器内部と外部との圧力差により液体を滴下させるようにした先行技術としては、特許文献２に示す技術などが従来から知られている。しかし、このものは押しピンなどは必要としないものの、これを使用済みのペットボトルのような柔軟性がない容器に適用させることはできない。【０００５】  また、特許文献２にはガラス製の柔軟性がないバイアル瓶についての記述があるが、バイアル瓶を点滴などに用いようとすると、内部の液が減った分の空気を瓶内に導入しないと液の滴下が止まるので、瓶を封止するゴム栓またはコルク栓にエアー針などを常に刺しこんでおかなければならない。ところで、バイアル瓶は、刺しこんだエアー針の先端が液の直中に位置しているため液中のごみや不純物や液の表面張力などによって空気の導入がしばしばとぎれ、液の滴下が止まったりするという問題が起こったりしていた。特に、液体の点滴量が少なくなるように調節すると、通気針からの空気の吸い込み力が弱まり空気の導入がなくなり、液体の滴下が完全にストップしてしまうという重大な事態を引き起こしていた。
【先行技術文献】
【特許文献】
【０００６】
【特許文献１】  実用新案登録第３１５３８７４号
【特許文献２】  特開平８−１５５００８号
【考案の概要】
【考案が解決しようとする課題】
【０００７】  本考案の技術課題は、上記先行技術が有する問題点を解決し、柔軟性がない液体容器を用い、空気孔を開ける押しピン等を必要とせず、容器の底の空気孔を指で塞いでから容器に水等を入れるという煩瑣な作業もせず、必要場所に容易に設置でき、容器内への空気の導入をとぎれさせずに確実に少量の液体を連続的に、さらには、液体容器を倒立させることなく直立させたままで確実に少量の液体を連続的に外部に取り出すことができるようにした液体滴下装置を得ることにある。
【課題を解決するための手段】
【０００８】  空気孔を開ける押しピン等を必要とせず、柔軟性がない液体容器の底の空気孔を指で塞いで水等を入れてから容器を倒立させる、という作業をせずに必要場所に容易に設置できるようにするため、本考案は次の手段を採用した。
柔軟性がない液体容器の口を封止する栓に、該栓を貫いて上方へ伸びだし液体容器の底の近傍にまで達する長さの空気導入管を取り付け、さらに前記栓を貫いて下方へ伸び出して滴下用ノズルに連なる液体供給管を取り付けた。【０００９】  柔軟性がない液体容器内への空気の導入をとぎれさせることなく、確実に少量の液体を連続的に外部に取り出すことができるようにするため、本考案は次の手段を採用した。
空気導入管の上端に補強管または浮き子を取り付け、空気導入管の上端の開口部が倒立させた液体容器内部の液面から上方に常に露出しているように構成した。【００１０】  柔軟性がない液体容器を倒立させることなく直立させたままで、確実に少量の液体を連続的に外部に取り出すことができるようにするため、本考案は次の手段を採用した。
液体供給管を介して滴下用ノズルに連なるサブタンクの上端をサブタンクキャップで密閉し、該サブタンクキャップの上部に、該上部を貫いて上方へ伸びだし直立して置かれた柔軟性がない液体容器の底の近傍にまで達する長さの気液流通管を取り付け、さらに前記上部を貫き上方へ伸び出る空気圧入管を取り付け、該空気圧入管の先端部に空気圧縮具を連接した。【００１１】  空気圧縮具を簡単なものにし、コストダウンをはかるため、本考案は次の手段を採用した。
空気圧縮具の陰圧発生部をスポイトまたは伸縮自在な蛇腹体で構成した。
【考案の効果】
【００１２】  本考案により奏される効果を、実施例の部品符号を付して説明する。
請求項１に記載の考案は、各容器に空気孔を開ける必要がないから、空気孔の開け難い材質の液体容器に対しも適用できる。
そして、空気導入管３は、最初から液体容器１の栓２に取り付けられているから容器１に空気孔を開ける押しピン等を別に準備する必要がなく、また容器１の底の近傍にまで達する長さを有しているから、容器１に液体を入れ栓２をしてから、図１に示すようにそれを倒立させたとき、管３の先端は容器１の底に形成される液面より上方に突出する。したがって、たとい、滴下量が少なくなるように調節した場合においても、液中のごみや不純物や液の表面張力などによってエアー針等から容器１内への空気の導入が妨げられ液の滴下が止まるといった問題は起こらない。【００１３】  請求項１に記載のの考案において、空気導入管３が柔軟な材質のものであった場合には、管３の先端が液中に沈み込み、液中のごみや不純物や液の表面張力などによって容器１内への空気の導入が妨げられることがある。請求項２に記載の考案は、空気導入管３の先端に補強管１７または浮き子６を取り付け、管３の先端の開口部７が液面から上方に常に露出しているように構成されているから、そのようなことが絶対に起こらない。なお、空気導入管３内に入ってきた液は、液体容器１を倒立させたとき管３の後端から外界に滴下し、空気の導入路が形成される。【００１４】  請求項３に記載の考案の実用面における第一の利点は、内容液を満たした液体容器１を倒立させることなく設置することができる点である。これにより、倒立した容器を保持する支柱などが不要になり、設置の手数や労力も軽減され、年配者などでも容易に設置できるものとなる。
ところで、直立した液体容器から連続的に少量の液体を外部に取り出すには、図３に示すサブタンク８が空になることのないようにしなければならない。そのためには、液体容器１から内容液が気液流通管１０によってとぎれることなくサブタンク８に供給され続けている必要がある。請求項３に記載の考案によれば、そのことが以下のようにして達成される。【００１５】  まず、直立して置かれた液体容器１内の液面が気液流通管１０の吐出口１３より常に上方の位置にあるように、サブタンク８と液体容器１の両者を配置する。次いで、サブタンク８内が密閉状態になっていること（具体的には、液体供給管５が調整弁１８により閉鎖されているか、またはサブタンク８内に向い水が残っているか等のこと）を確認した上で、空気圧縮具１２を操作して（例えば、スポイトの陰圧発生部を圧縮して）サブタンク８内に空気を圧入する。【００１６】  すると、サブタンク８内の空気は気液流通管１０を通り液体容器１内に流入し、容器１内の内容液の中を通り抜け、液体容器１に蓋がないときは大気中に放散される。（なお、液体容器１が密閉されているときは、該容器１内の空気圧が高められる。）そこで、空気圧縮具１２による空気の圧入を止める（例えば、スポイトの陰圧発生部の圧縮を止め元の大きさに戻す）と、空気圧入管１１、サブタンク８及び気液流通管１０内の空気圧が低下する。それに伴い、液体容器１内の内容液は気液流通管１０を通ってサブタンク８に流入する。一旦この流入が始まれば、気液流通管１０の吐出口１３は常に液体容器１内の液面より下方に位置しているから、サイフォンの原理によりその流入は自動的に継続する。【００１７】  請求項４の考案によれば、前記の空気圧縮具１２を一般の市場で入手可能なスポイトや蛇腹体で構成することにより、製作費を削減し操作を簡単にすることができる。【００１８】  以上の効果があるため、本考案の液体滴下装置は、特許文献１に示すような園芸用ドリップ装置にのみならず、柔軟性がない液体容器から少量の液体を連続的に取り出す他の各種の装置、例えば医療用の輸液（点滴）装置としても、外部から輸液内への雑菌等の侵入を防ぐ措置を講じられさえすれば、十分に使用することができる。また、液体の表面張力の問題、ボトル内の空気圧と大気圧との関係及びサイフォンの原理等を学ぶ小、中学校において、理科の実験教材として利用したり、花壇の水やり器として使用したりすることもできる。
【図面の簡単な説明】
【００１９】
【図１】は、請求項１または請求項２に記載の考案の実施例の側面図である。
【図２】は、請求項２に記載の考案の浮き子６の具体例である。
【図３】は、請求項３及び請求項４に記載の考案の実施例の側面図である。
【実施例】
【００２０】  請求項１に記載の考案の栓２には、一般にゴム栓やコルク栓などが用いられるが、下端に空気取入口１９をもつ空気導入管３や液体供給管５の取り付けには注意を要する。通常長い時間にわたり倒立させておくものであるから、取り付け部から内容液が漏れ出さないように配慮した構成にしておくことが求められる。１８は調節弁であり、これにより、滴下量を調節する。【００２１】  請求項１に記載の考案の液体容器１として２リットル入り等の大型タンクを用い、かつ空気導入管３として内径３ミリ強の市販の「ストローミニ」を用いた場合、該導入管３は柔軟であるため容易に折れ曲り、その上端の開口部７が水没してしまうことがある。そのようなときは、例えば、図１に示すように、導入管３の先端に普通のストローを補強管１７として嵌挿する。こうすれば、上端の開口部７を常に液面から上方に露出させておくことができる。前記の実施例は、組み立ても容易になり低コストで考案の機能を十分に発揮させることができるものとして、推奨される。
なお、導入管３が水没しない程度の硬さをもつものである場合には、補強管１７や浮き子６などを省略できることは言うまでもない。【００２２】  開口部７を常に液面から上方に露出させる他の具体例としての図２に示す浮き子６は、空気導入管３の上端に取り付けられる。管３の先端部分を球状の発泡性樹脂１４で取り巻き、その上端に開口部７を位置させ、球状の浮き子６の下部に金属製重り１５などを付設すれば、液体容器１を倒立させたとき、この浮き子６は瞬時に浮き上がり空気導入管３に入り込む液量を極めて少なくすることができる。なお、浮き子や重りの材質及び形状などが前記のものに限られないことは勿論である。【００２３】  請求項３のサブタンク８とサブタンクキャップ９は、内部の液が目視できる透明性を持った材質で作ることが望ましい。また、気液流通管１０の先端には、必要に応じて図３に示すような濾過部を付したシンカー１６を取り付ける。
サブタンク８とサブタンクキャップ９により形成される空間の容積は、空気圧縮具１２の圧縮容量との関係で定められる。すなわち、空気圧縮具１２による空気の圧入を止めた後、液体容器１内の内容液が気液流通管１０を通ってサブキャップ８に十分流入できるだけの陰圧が発生されるものとしなければならない。【００２４】  なお、本考案装置の全体を軽くして気液流通管１０により吊り下げられるように構成したときは、該管１０の長さを、吐出口１３の位置が常に液体容器１の液面より下方にあるように選ばなければならない。
空気圧縮具１２は、請求項４に示すもの以外であっても、使用環境その他の諸条件に応じた最適の物を選べるのは勿論である。
【符号の説明】
【００２５】  １    液体容器
２    栓
３    空気導入管
４    滴下用ノズル
５    液体供給管
６    浮き子
７    開口部
８    サブタンク
９    サブタンクキャップ
１０  気液流通管
１１  空気圧入管
１２  空気圧縮具
１３  吐出口
１４  発泡性樹脂
１５  金属重り
１６  シンカー
１７  補強管
１８  調節弁
１９  空気取入口
【図１】
0003158999.tif 000003
【図２】
0003158999.tif 000004
【図３】
0003158999.tif 000005
【手続補正書】
【提出日】平成22年2月1日(2010.2.1)
【手続補正１】
【補正対象書類名】実用新案登録請求の範囲
【補正対象項目名】全文
【補正方法】変更
【補正の内容】
【実用新案登録請求の範囲】
【請求項１】
柔軟性がない液体容器の口を封止する栓に、該栓を貫いて上方へ伸びだし液体容器の底の近傍にまで達する長さの空気導入管を取り付け、さらに前記栓を貫いて下方へ伸び出して滴下用ノズルに連なる液体供給管を取り付けたことを特徴とする液体滴下装置。
【請求項２】
空気導入管の上端に補強管または浮き子を取り付け、空気導入管の上端の開口部が倒立させた液体容器内部の液面から上方に常に露出しているように構成したことを特徴とする請求項１に記載の液体滴下装置。
【請求項３】
液体供給管を間にはさみ滴下用ノズルに連なるサブタンクの上端をサブタンクキャップで密閉し、該サブタンクキャップの上部に、該上部を貫いて上方へ伸びだし直立して置かれた柔軟性がない液体容器の底の近傍にまで達する長さの気液流通管を取り付け、さらに前記上部を貫き上方へ伸び出る空気圧入管を取り付け、該空気圧入管の先端部に空気圧縮具を連接したことを特徴とする液体滴下装置。
【請求項４】
空気圧縮具の陰圧発生部をスポイトまたは伸縮自在な蛇腹体で構成したことを特徴とする請求項３に記載の液体滴下装置。